(57)【要約】      （修正有）【課題】簡便に設置でき安定的に電気接続を確保できるコネクタ付支持装置を提供する。【解決手段】固定具５は、固定開口部５０内に配線部５１を有し、支持具４は、固定具５に装着した際に、配線部５１に接触して固定具５の固定開口部５０の開口側から外部に電源を引き出す電源部４１と、電源部４１に接続され突出部４０に設置され固定開口部５０の開口側と反対側の垂直面上に給電端子が露出する給電コネクタ部２とを有し、受け具１は、給電コネクタ部２と対向する位置に、固定開口部５０の開口側の垂直面上に受電端子が露出する受電コネクタ部３を有し、固定具５の固定開口部５０に支持具４を装着し、支持具４の突出部４０に受け具１の受け開口部１０を装着すると、給電コネクタ部２の給電端子と受電コネクタ部３の受電端子とが接触して給電される。【選択図】図１
2020120901.tif 000002
【特許請求の範囲】
【請求項１】
固定開口部が形成された固定具と、
前記固定開口部に着脱自在に取り付けられるとともに、前記固定開口部に装着されると前記固定開口部の開口側から突出する突出部を有する支持具と、
受け開口部が形成され、前記支持具の前記突出部に前記受け開口部が着脱自在に装着される受け具とを備え、
前記固定具は、前記固定開口部内に電力を供給する配線部を有し、
前記支持具は、前記固定具に装着した際に、前記配線部に接触して前記固定具の前記固定開口部の開口側から外部に電源を引き出す電源部と、前記電源部に電気的に接続されるとともに前記突出部に設置され前記固定開口部の開口側と反対側の垂直面上に給電端子が露出する給電コネクタ部とを有し、
前記受け具は、前記給電コネクタ部と対向する位置に、前記固定開口部の開口側の垂直面上に受電端子が露出する受電コネクタ部を有し、
前記固定具の前記固定開口部に前記支持具を装着し、前記支持具の前記突出部に前記受け具の前記受け開口部を装着すると、前記給電コネクタ部の前記給電端子と前記受電コネクタ部の前記受電端子とが接触して給電されるコネクタ付支持装置。
【請求項２】
前記受け具の前記受電コネクタ部は、当該受け具の前記給電コネクタ部と対向する位置に形成された凹部内に形成され、
前記固定具の前記固定開口部に前記支持具を装着し、前記支持具の前記突出部に前記受け具の前記受け開口部を装着すると、前記給電コネクタ部は前記受け具の前記凹部内に挿入され、前記受け具の前記凹部内にて前記給電コネクタ部の一対の前記給電端子と前記受電コネクタ部の一対の前記受電端子とが接触して給電される請求項１に記載のコネクタ付支持装置。
【請求項３】
前記支持具の前記突出部は、前記固定開口部の開口側から水平方向に突出して形成され、
前記給電コネクタ部は、前記突出部の突出方向に直交して設置される請求項１または請求項２に記載のコネクタ付支持装置。
【請求項４】
前記支持具の前記突出部は、前記固定開口部の開口側から前記固定開口部を中心としてそれぞれ間隔を隔てて水平方向に突出して形成された一対の水平部と、一対の前記水平部を前記固定開口部の開口側にて連結する連結部とを有し、
前記給電コネクタ部は、前記突出部の前記連結部の前記固定開口部の開口側と反対側に設置され、
前記受け開口部は、前記突出部の前記連結部および一対の前記水平部のいずれもが挿入可能に形成される請求項１または請求項２に記載のコネクタ付支持装置。
【請求項５】
前記受け具は、前記受電コネクタ部の前記受電端子と電気的に接続される電気機器を備える請求項１から請求項４のいずれか１項に記載のコネクタ付支持装置。
【請求項６】
前記給電コネクタ部の前記受電コネクタ部と対向する面上には、第一凸部または第一凹部が形成され、
前記受電コネクタ部の前記給電コネクタ部と対向する面上には、前記第一凸部または前記第一凹部と対向する箇所に第二凹部または第二凸部が形成され、
前記給電コネクタ部の前記給電端子と前記受電コネクタ部の前記受電端子とが接触すると、前記第一凸部または前記第一凹部が前記第二凹部または前記第二凸部に挿入させる請求項１から請求項５のいずれか１項に記載のコネクタ付支持装置。
【請求項７】
前記給電コネクタ部の前記受電コネクタ部と対向する面上には、第一磁石部または第一磁性体部が形成され、
前記受電コネクタ部の前記給電コネクタ部と対向する面上には、前記第一磁石部または前記第一磁性体部と対向する箇所に第二磁石部または第二磁性体部が形成され、
前記給電コネクタ部の前記給電端子と前記受電コネクタ部の前記受電端子とが接触すると、前記第一磁石部または前記第一磁性体部と前記第二磁性体部または前記第二磁石部とが磁力により吸着させる請求項１から請求項６のいずれか１項に記載のコネクタ付支持装置。
【請求項８】
前記給電端子は、前記給電コネクタ部の前記受電コネクタ部と対向する面に形成された開口部と、前記開口部内に設置された導電性の弾性部を有し、
前記受電端子は、前記受電コネクタ部の前記給電コネクタ部と対向する面には前記開口部と対向する箇所に第三凸部が形成され、
前記給電コネクタ部の前記給電端子と前記受電コネクタ部の前記受電端子とが接触すると、前記弾性部を前記第三凸部が押圧して接触させる請求項１から請求項７のいずれか１項に記載のコネクタ付支持装置。
【請求項９】
前記給電端子は、前記給電コネクタ部の前記受電コネクタ部と対向する面に第三凸部が形成され、
前記受電端子は、前記受電コネクタ部の前記給電コネクタ部と対向する面には前記第三凸部と対向する箇所に形成された開口部と、前記開口部内に設置された導電性の弾性部を有し、
前記給電コネクタ部の前記給電端子と前記受電コネクタ部の前記受電端子とが接触すると、前記第三凸部が前記弾性部を押圧して接触させる請求項１から請求項７のいずれか１項に記載のコネクタ付支持装置。
【発明の詳細な説明】
【技術分野】
【０００１】
本願は、コネクタ付支持装置に関するものである。
【背景技術】
【０００２】
従来の棚板の照明装置は、棚板を相手方部材へ取り付けるためのダボを導電材料で形成して電源側へ接続し、棚板に前記ダボに対応する凹部を形成するとともに、棚板に取り付けた照明器具としての発光ダイオードの配線を前記凹部へ導出して電気的な接点を形成する（例えば、特許文献１参照）。
【先行技術文献】
【特許文献】
【０００３】
【特許文献１】特開２００１−２５０４２０号公報
【発明の概要】
【発明が解決しようとする課題】
【０００４】
従来の棚板の照明装置は、ダボおよびダボに対応する凹部にて、コネクタを形成し、簡便に設置できるものの、このような構成では、安定的に電気接続を確保することが困難であるという問題点があった。
また、従来の棚板の照明装置は、棚板の水平方向の一端にてコネクタを形成し、水平方向の他端にて保持して設置する。よって、棚板を水平方向の一端のみで設置するには対応していない。
【０００５】
本願は、上記のような課題を解決するための技術を開示するものであり、簡便に設置できるとともに安定的に電気接続を確保できるコネクタ付支持装置を提供することを目的とする。
【課題を解決するための手段】
【０００６】
本願に開示されるコネクタ付支持装置は、
固定開口部が形成された固定具と、
前記固定開口部に着脱自在に取り付けられるとともに、前記固定開口部に装着されると前記固定開口部の開口側から突出する突出部を有する支持具と、
受け開口部が形成され、前記支持具の前記突出部に前記受け開口部が着脱自在に装着される受け具とを備え、
前記固定具は、前記固定開口部内に電力を供給する配線部を有し、
前記支持具は、前記固定具に装着した際に、前記配線部に接触して前記固定具の前記固定開口部の開口側から外部に電源を引き出す電源部と、前記電源部に電気的に接続されるとともに前記突出部に設置され前記固定開口部の開口側と反対側の垂直面上に給電端子が露出する給電コネクタ部とを有し、
前記受け具は、前記給電コネクタ部と対向する位置に、前記固定開口部の開口側の垂直面上に受電端子が露出する受電コネクタ部を有し、
前記固定具の前記固定開口部に前記支持具を装着し、前記支持具の前記突出部に前記受け具の前記受け開口部を装着すると、前記給電コネクタ部の前記給電端子と前記受電コネクタ部の前記受電端子とが接触して給電される
ものである。
【発明の効果】
【０００７】
本願に開示されるコネクタ付支持装置によれば、簡便に設置できるとともに安定的に電気接続を確保できる。
【図面の簡単な説明】
【０００８】
【図１】実施の形態１によるコネクタ付支持装置の構成を示す側面図である。
【図２】図１に示したコネクタ付支持装置から受け具を取り外した状態を示す側面図である。
【図３】図１に示したコネクタ付支持装置の支持具の構成を示す左側面図である。
【図４】図３に示したコネクタ付支持装置の支持具の構成を示す平面図である。
【図５】図３に示したコネクタ付支持装置の支持具の構成を示す底面図である。
【図６】図３に示したコネクタ付支持装置の支持具の構成を示す右側面図である。
【図７】図３に示したコネクタ付支持装置の支持具の構成を示す正面図である。
【図８】図３に示したコネクタ付支持装置の支持具の構成を示す背面図である。
【図９】図３に示したコネクタ付支持装置の支持具の構成を示す斜視図である。
【図１０】図３に示したコネクタ付支持装置の支持具の給電コネクタ部の構成を示す断面図である。
【図１１】図１に示したコネクタ付支持装置の受け具の構成を示す斜視図である。
【図１２】図１１に示したコネクタ付支持装置の受け具の受電コネクタ部の構成を示す斜視図である。
【図１３】図１２に示したコネクタ付支持装置の受け具の受電コネクタ部の構成を示す断面図である。
【図１４】実施の形態１によるコネクタ付支持装置の支持具の他の構成を示す斜視図である。
【図１５】図１および図１４に示したコネクタ付支持装置の固定具および支持具を壁面に設置した状態を示す斜視図である。
【図１６】図１５に示したコネクタ付支持装置の支持具に受け具を設置した状態を示す斜視図である。
【図１７】実施の形態１によるコネクタ付支持装置の他の構成を示す側面図である。
【図１８】図１７に示したコネクタ付支持装置から受け具を取り外した状態を示す側面図である。
【図１９】図１７に示したコネクタ付支持装置の支持具の構成を示す斜視図である。
【図２０】図１７に示したコネクタ付支持装置の支持具の他の構成を示す斜視図である。
【図２１】実施の形態１によるコネクタ付支持装置の他の構成を示す側面図である。
【図２２】図２１に示したコネクタ付支持装置から受け具を取り外した状態を示す側面図である。
【図２３】図２１に示したコネクタ付支持装置の支持具の構成を示す斜視図である。
【図２４】図２１に示したコネクタ付支持装置の支持具の他の構成を示す斜視図である。
【図２５】図１９、図２０または図２３、図２４に示したコネクタ付支持装置の固定具および支持具を壁面に設置した状態を示す斜視図である。
【図２６】図２５に示したコネクタ付支持装置の支持具に受け具を設置した状態を示す斜視図である。
【発明を実施するための形態】
【０００９】
実施の形態１．
以下、本願の実施の形態について説明する。図１は実施の形態１のコネクタ付支持装置の構成を部分的に断面にて示す側面図である。図２は図１に示したコネクタ付支持装置から受け具を取り外した状態を示す側面図である。図３は図１に示したコネクタ付支持装置の支持具の構成を示す左側面図である。図４は図３に示したコネクタ付支持装置の支持具の構成を示す平面図である。図５は図３に示したコネクタ付支持装置の支持具の構成を示す底面図である。図６は図３に示したコネクタ付支持装置の支持具の構成を示す右側面図である。
【００１０】
図７は図３に示したコネクタ付支持装置の支持具の構成を示す正面図である。図８は図３に示したコネクタ付支持装置の支持具の構成を示す背面図である。図９は図３に示したコネクタ付支持装置の支持具の構成を示す斜視図である。図１０は図４に示したコネクタ付支持装置の支持具の給電コネクタ部の水平方向Ｘの断面の構成を示す断面図である。尚、図７、図８、図１０は、各箇所を詳細に示すために図３から図６の各図より拡大して示している。
【００１１】
図１１は図１に示したコネクタ付支持装置の受け具の構成を示す斜視図である。図１２は図１１に示したコネクタ付支持装置の受け具の受電コネクタ部の構成を示す斜視図である。図１３は図１２に示したコネクタ付支持装置の受け具の受電コネクタ部の水平方向Ｘの断面の構成を示す断面図である。尚、図１２、図１３は、各箇所を詳細に示すために図１１の図より拡大して示している。図１４は実施の形態１によるコネクタ付支持装置の支持具の他の構成を示す斜視図である。図１５は図１および図１４に示したコネクタ付支持装置の固定具を壁面内に設置し、当該固定具に支持具を設置した状態を示す斜視図である。図１６は図１５に示したコネクタ付支持装置の支持具に受け具を設置した状態を示す斜視図である。
【００１２】
図１および図２を用いてコネクタ付支持装置１００の構成について説明する。コネクタ付支持装置１００は、床６上に垂直に設置された支柱６０に設置される。コネクタ付支持装置１００は固定具５、支持具４、および、受け具１を備える。固定具５、支持具４および受け具１の内、固定具５が支柱６０に固定して設置されている。固定具５は固定開口部５０が形成される。固定具５は、固定開口部５０内に電力を送電する配線部５１を有する。配線部５１は、外部電源６１に接続され、電力を供給する。固定具５は、当該固定開口部５０のみが壁面６２から前面に露出して形成される。
【００１３】
支持具４は、固定開口部５０に着脱自在に取り付けられる。支持具４は、固定開口部５０に装着されると固定開口部５０の開口側から連続して突出する突出部４０を有する。突出部４０は、固定開口部５０の開口側から水平方向Ｘに突出して形成される。支持具４は、電源部４１と給電コネクタ部２とを有する。電源部４１は、支持具４を固定具５に装着した際に、配線部５１に接触して固定具５の固定開口部５０の開口側から外部に電源を引き出す。
【００１４】
給電コネクタ部２は、電源部４１に電気的に接続されるとともに突出部４０に設置される。さらに、給電コネクタ部２は、固定開口部５０の開口側と反対側の垂直面２０上に一対の給電端子２１が露出して形成される。さらに、給電コネクタ部２は、突出部４０の突出方向Ｘに直交して設置される。突出方向Ｘと水平方向Ｘとは同一方向である。尚、給電コネクタ部２の詳細については後述する。
【００１５】
図１１に示すように、受け具１は、受け開口部１０が形成される。受け具１は、支持具４の突出部４０に受け開口部１０が着脱自在に装着される。受け具１は、給電コネクタ部２と対向する位置に受電コネクタ部３が設置される。受電コネクタ部３は、固定開口部５０の開口側の垂直面３０上に一対の受電端子３１が露出して形成される。尚、受電コネクタ部３の構成については後述する。受け具１は、受け具１の給電コネクタ部２と対向する位置に凹部１１が形成される。受け具１の凹部１１内に、受電コネクタ部３が形成される。
【００１６】
受け具１は、受電コネクタ部３の受電端子３１と電気的に接続される電気機器１２を備える。受け具１は、例えば、棚板にて形成される。そして、電気機器１２は当該棚板に設置されるＬＥＤ照明器具にて形成される。固定具５の固定開口部５０に支持具４を装着し、支持具４の突出部４０に受け具１の受け開口部１０を装着すると、図１に示すように、給電コネクタ部２は受け具１の凹部１１内に挿入され、受け具１の凹部１１内にて給電コネクタ部２の一対の給電端子２１と受電コネクタ部３の一対の受電端子３１とが接触して給電される。
【００１７】
次に、給電コネクタ部２と受電コネクタ部３との詳細について図１０および図１３を用いて説明する。給電コネクタ部２の一対の給電端子２１は、給電コネクタ部２の受電コネクタ部３と対向する垂直面２０に形成された開口部２４と、開口部２４内に設置された導電性の弾性部２５とにて構成される。弾性部２５は、例えば、バネ材にて形成される。そして、受電コネクタ部３の一対の受電端子３１は、受電コネクタ部３の給電コネクタ部２と対向する垂直面３０の開口部２４と対向する箇所に第三凸部３４が形成される。給電コネクタ部２の給電端子２１と受電コネクタ部３の受電端子３１とが接触すると、弾性部２５を第三凸部３４が押圧して接触する。
【００１８】
さらに、給電コネクタ部２の受電コネクタ部３と対向する垂直面２０上には、一対の第一凸部２２が形成される。受電コネクタ部３の給電コネクタ部２と対向する垂直面３０上には、第一凸部２２部と対向する箇所に第二凹部３２が形成される。給電コネクタ部２の給電端子２１と受電コネクタ部３の受電端子３１とが接触すると、第一凸部２２が第二凹部３２に挿入する。
【００１９】
さらに、給電コネクタ部２の受電コネクタ部３と対向する垂直面２０上には、第一磁性体部２３が形成される。第一磁性体部２３は、例えばスチール材にて形成される。受電コネクタ部３の給電コネクタ部２と対向する垂直面３０上には、第一磁性体部２３と対向する箇所に第二磁石部３３が形成される。給電コネクタ部２の給電端子２１と受電コネクタ部３の受電端子３１とが接触すると、第一磁性体部２３と第二磁石部３３とが磁力により吸着する。
【００２０】
尚、上記実施の形態１においては、支持具４として、突出部４０が固定開口部５０の開口側から連続して突出する場合について示したが、これに限られることはなく、例えば、図１４に示すような突出部４０を形成することも可能である。図１４において、支持具４の突出部４０は、固定開口部５０の開口側から固定開口部５０を中心としてそれぞれ間隔を隔てて水平方向Ｘに突出して形成された一対の水平部４０１と、一対の水平部４０１を固定開口部５０の開口側にて連結する連結部４０２とを有する。
【００２１】
そして、図１４に示すように、給電コネクタ部２は、突出部４０の連結部４０２の固定開口部５０の開口側と反対側に設置される。また、受け開口部１０は、突出部４０の連結部４０２および一対の水平部４０１のいずれもが挿入可能に形成される。具体的には、図１１に示すように、一対の水平部４０１が挿入可能な開口部１０１、１０２および連結部４０２が挿入可能な開口部１０３が形成される。よって、受け開口部１０として、開口部１０１、１０２、１０３が追加して構成される。これにより、受け具１は、図９および図１４に示したいずれの支持具４も挿入可能で有り対応できる。
【００２２】
尚、固定開口部５０が形成された固定具５、配線部５１、および電源部４１等の構成は、本出願人が出願した、特許第５２８０４８９号に示した構成を例に形成している。
【００２３】
次に、上記のように構成された実施の形態１のコネクタ付支持装置１００の使用方法について説明する。まず、床６上に垂直に設置された支柱６０に、固定具５が例えばネジ止めにより図１に示すように固定される。そして、固定具５の固定開口部５０のみが露出するように、壁面６２が前面に設置される。これにより、固定具５は壁面６２内に設置される。そして、固定具５の配線部５１には外部電源６１から電力が供給される。
【００２４】
次に、図１５に示すように、固定具５の固定開口部５０に支持具４を挿入する。すると、支持具４の突出部４０のみが壁面６２から露出する。また、突出部４０に設置されている給電コネクタ部２も壁面６２から露出する。この際、給電コネクタ部２の垂直面２０には一対の給電端子２１が露出している。さらに、給電コネクタ部２の垂直面２０には、一対の第一凸部２２、第一磁性体部２３が露出している。この際、支持具４の電源部４１から給電コネクタ部２の一対の給電端子２１には電力が供給されている。
【００２５】
次に、受け具１の受け開口部１０内に、支持具４の突出部４０を装着する。そして、図１に示すように、給電コネクタ部２は受け具１の凹部１１内に挿入され、受け具１の凹部１１内にて給電コネクタ部２の一対の給電端子２１と受電コネクタ部３の一対の受電端子３１とが接触して給電される。この際、給電コネクタ部２の給電端子２１と受電コネクタ部３の受電端子３１とが接触すると、弾性部２５を第三凸部３４が押圧して接触する。
【００２６】
さらに、給電コネクタ部２の第一凸部２２が受電コネクタ部３の第二凹部３２に挿入され、給電コネクタ部２と受電コネクタ部３との位置決めが確実となる。さらに、給電コネクタ部２の第一磁性体部２３と、受電コネクタ部３の第二磁石部３３とが磁力により吸着し、給電コネクタ部２と受電コネクタ部３との位置決めがさらに確実となる。
【００２７】
そして、受電コネクタ部３の一対の受電端子３１に電気的に接続されている電気機器１２に電気が供給され、ここでは、ＬＥＤ照明器具が点灯する。よって、図１６に示すように、壁面６２からは受け具１の外観のみが露出しているように設置される。
【００２８】
尚、上記実施の形態１においては、給電コネクタ部の受電コネクタ部と対向する面上には、第一凸部を形成し、受電コネクタ部の給電コネクタ部と対向する面上には、第一凸部と対向する箇所に第二凹部を形成する例を示したが、これに限られることはなく、給電コネクタ部の受電コネクタ部と対向する面上には、第一凹部を形成し、受電コネクタ部の給電コネクタ部と対向する面上には、第一凹部と対向する箇所に第二凸部を形成できる。
【００２９】
さらに、上記実施の形態１においては、一対の第一凸部と一対の第二凹部とをそれぞれ形成する例を示したが、これに限られることはなく、１つの第一凸部と１つの第二凹部とにて形成する場合であっても、給電コネクタ部と受電コネクタ部とのずれ防止として機能する。
【００３０】
また、上記実施の形態１においては、給電コネクタ部の受電コネクタ部と対向する面上には、第一磁性体部を形成し、受電コネクタ部の給電コネクタ部と対向する面上には、第一磁性体部と対向する箇所に第二磁石部を形成する例を示したが、これに限られることはなく、給電コネクタ部の受電コネクタ部と対向する面上には、第一磁石部を形成し、受電コネクタ部の給電コネクタ部と対向する面上には、第一磁石部と対向する箇所に第二磁性体部を形成することができる。
【００３１】
また、上記実施の形態１とは逆に、一対の給電端子は、給電コネクタ部の受電コネクタ部と対向する面に一対の第三凸部が形成され、一対の受電端子は、受電コネクタ部の給電コネクタ部と対向する面には一対の第三凸部と対向する箇所に形成された一対の開口部と、一対の開口部内に設置された導電性の一対の弾性部を有し、給電コネクタ部上に受電コネクタ部を設置させ、一対の第三凸部が一対の弾性部を押圧して接触させるように構成できる。
【００３２】
また、上記実施の形態１では、固定開口部が形成された固定具と、固定開口部に着脱自在に取り付けられるとともに、固定開口部に装着されると固定開口部の開口側から突出する突出部を有する支持具との構成を、図１に示すような形状にて形成する例を示した。これに限られることはなく他の形状の例も考えられる。以下、他の構成について、図１７から図２６を用いて説明する。
【００３３】
図１７は実施の形態１によるコネクタ付支持装置の他の構成を示す側面図である。図１８は図１７に示したコネクタ付支持装置から受け具を取り外した状態を示す側面図である。図１９は図１７に示したコネクタ付支持装置の支持具の構成を示す斜視図である。図２０は図１７に示したコネクタ付支持装置の支持具の他の構成を示す斜視図である。
【００３４】
図２１は実施の形態１によるコネクタ付支持装置の他の構成を示す側面図である。図２２は図２１に示したコネクタ付支持装置から受け具を取り外した状態を示す側面図である。図２３は図２１に示したコネクタ付支持装置の支持具の構成を示す斜視図である。図２４は図２１に示したコネクタ付支持装置の支持具の他の構成を示す斜視図である。図２５は図１９、図２０または図２３、図２４に示したコネクタ付支持装置の固定具を壁面内に設置し、当該固定具に支持具を設置した状態を示す斜視図である。図２６は図２５に示したコネクタ付支持装置の支持具に受け具を設置した状態を示す斜視図である。
【００３５】
図１７から図２０は、本願出願人が出願した特許第６２２８７１７号の構成に基づいて形成されている。図に示すように、支柱６０の上下に固定設置された固定具５により、固定開口部５０が形成される。固定具５の固定開口部５０の開口側と反対側であって、支柱６０の上下方向に延在して配線部５１が形成され、いずれの固定開口部５０にも配線部５１が配される。そして、支持具４は当該配線部５１に接触して固定開口部５０の開口側から外部に電源を引き出す電源部４１を備える。但し、ここでは支柱６０は図２５に示すようにコ字状にて形成されている。
【００３６】
電源部４１は支持具４に設置された給電コネクタ部２と電気的に接続する。図１９に示す支持具４の突出部４０は、薄板状にて形成される。図２０に示す支持具４の突出部４０は、図１４と同様に、固定開口部５０の開口側から固定開口部５０を中心としてそれぞれ間隔を隔てて水平方向Ｘに突出して形成された一対の水平部４０１と、一対の水平部４０１を固定開口部５０の開口側にて連結する連結部４０２とにて形成される。
【００３７】
図２１から図２４は、本願出願人が出願した特許第５８０７１４１号の構成に基づいて形成されている。この場合も同様に、図に示すように、支柱６０の上下に固定設置された固定具５により、固定開口部５０が形成される。固定具５の固定開口部５０の開口側と反対側であって、支柱６０の上下方向に延在して配線部５１が形成され、いずれの固定開口部５０にも配線部５１が配される。そして、支持具４は当該配線部５１に接触して固定開口部５０の開口側から外部に電源を引き出す電源部４１を備える。但し、ここでは支柱６０は図２５に示すようにコ字状にて形成されている。
【００３８】
電源部４１は支持具４に設置された給電コネクタ部２と電気的に接続する。図２３に示す支持具４の突出部４０は、薄板状にて形成される。図２４に示す支持具４の突出部４０は、図１４と同様に固定開口部５０の開口側から固定開口部５０を中心としてそれぞれ間隔を隔てて水平方向Ｘに突出して形成された一対の水平部４０１と、一対の水平部４０１を固定開口部５０の開口側にて連結する連結部４０２とにて形成される。
【００３９】
次に、上記のように図１７から図２４に構成された実施の形態１のコネクタ付支持装置１００の使用方法について、図２５および図２６を用いて説明する。まず、床６上に垂直に設置された支柱６０に、複数の固定具５が例えばネジ止めにより図１７または図２１に示すように固定される。そして、固定具５の複数の固定開口部５０が露出するように、壁面６２が前面に設置される。これにより、固定具５は壁面６２内に設置される。そして、固定具５の配線部５１には外部電源６１から電力が供給される。
【００４０】
次に、図２５に示すように、固定具５の固定開口部５０に支持具４を挿入する。すると、支持具４の突出部４０のみが壁面６２から露出する。また、突出部４０に設置されている給電コネクタ部２も壁面６２から露出する。この際、給電コネクタ部２の垂直面２０には一対の給電端子２１が露出している。さらに、給電コネクタ部２の垂直面２０には、一対の第一凸部２２、第一磁性体部２３が露出している。この際、支持具４の電源部４１から給電コネクタ部２の一対の給電端子２１には電力が供給されている。
【００４１】
次に、受け具１の受け開口部１０内に、支持具４の突出部４０を装着する。尚、この場合、受け具１の受け開口部１０は、図１９および図２３に示したように、突出部４０の薄板状が挿入できるように形成されている。そして、図１に示すように、給電コネクタ部２は受け具１の凹部１１内に挿入され、受け具１の凹部１１内にて給電コネクタ部２の一対の給電端子２１と受電コネクタ部３の一対の受電端子３１とが接触して給電される。この際、給電コネクタ部２の給電端子２１と受電コネクタ部３の受電端子３１とが接触すると、弾性部２５を第三凸部３４が押圧して接触する。
【００４２】
さらに、給電コネクタ部２の第一凸部２２が受電コネクタ部３の第二凹部３２に挿入され、給電コネクタ部２と受電コネクタ部３との位置決めが確実となる。さらに、給電コネクタ部２の第一磁性体部２３と、受電コネクタ部３の第二磁石部３３とが磁力により吸着し、給電コネクタ部２と受電コネクタ部３との位置決めがさらに確実となる。
【００４３】
そして、受電コネクタ部３の一対の受電端子３１に電気的に接続されている電気機器１２に電気が供給され、ここでは、ＬＥＤ照明器具が点灯する。よって、図２６に示すように、壁面６２からは受け具１の外観のみが露出しているように設置される。
【００４４】
上記のように構成された実施の形態１のコネクタ付支持装置によれば、
固定開口部が形成された固定具と、
前記固定開口部に着脱自在に取り付けられるとともに、前記固定開口部に装着されると前記固定開口部の開口側から突出する突出部を有する支持具と、
受け開口部が形成され、前記支持具の前記突出部に前記受け開口部が着脱自在に装着される受け具とを備え、
前記固定具は、前記固定開口部内に電力を供給する配線部を有し、
前記支持具は、前記固定具に装着した際に、前記配線部に接触して前記固定具の前記固定開口部の開口側から外部に電源を引き出す電源部と、前記電源部に電気的に接続されるとともに前記突出部に設置され前記固定開口部の開口側と反対側の垂直面上に給電端子が露出する給電コネクタ部とを有し、
前記受け具は、前記給電コネクタ部と対向する位置に、前記固定開口部の開口側の垂直面上に受電端子が露出する受電コネクタ部を有し、
前記固定具の前記固定開口部に前記支持具を装着し、前記支持具の前記突出部に前記受け具の前記受け開口部を装着すると、前記給電コネクタ部の前記給電端子と前記受電コネクタ部の前記受電端子とが接触して給電されるので、
固定具に装着された支持具を、受け具の受け開口部内に装着するのみで、受電コネクタ部と給電コネクタ部とが接触して電気接続を良好に保持できる。
さらに、受け具を支持具の水平方向から容易に装着することが可能となる。
【００４５】
さらに、前記受け具の前記受電コネクタ部は、当該受け具の前記給電コネクタ部と対向する位置に形成された凹部内に形成され、
前記固定具の前記固定開口部に前記支持具を装着し、前記支持具の前記突出部に前記受け具の前記受け開口部を装着すると、前記給電コネクタ部は前記受け具の前記凹部内に挿入され、前記受け具の前記凹部内にて前記給電コネクタ部の一対の前記給電端子と前記受電コネクタ部の一対の前記受電端子とが接触して給電されるので、
固定具に装着された支持具を、受け具の受け開口部内に装着すると、受け具の凹部内に、受電コネクタ部および給電コネクタ部が収納されるため、露出箇所を受け具の外観のみとすることができ、美観に優れる。さらに、受け具を固定具および支持具により水平方向の一端のみで設置できる。
【００４６】
さらに、前記支持具の前記突出部は、前記固定開口部の開口側から水平方向に突出して形成され、
前記給電コネクタ部は、前記突出部の突出方向に直交して設置されるので、
受電コネクタ部および給電コネクタ部の電気的な接触において、支持具の突出部が障害とならず確実に接触できる。
【００４７】
さらに、前記支持具の前記突出部は、前記固定開口部の開口側から前記固定開口部を中心としてそれぞれ間隔を隔てて水平方向に突出して形成された一対の水平部と、一対の前記水平部を前記固定開口部の開口側にて連結する連結部とを有し、
前記給電コネクタ部は、前記突出部の前記連結部の前記固定開口部の開口側と反対側に設置され、
前記受け開口部は、前記突出部の前記連結部および一対の前記水平部のいずれもが挿入可能に形成されるので、
支持具の突出部と受け具の受け開口部との支持がさらに確実となる。
【００４８】
さらに、前記受け具は、前記受電コネクタ部の前記受電端子と電気的に接続される電気機器を備えるので、
電気機器に電源を容易に供給できる。
【００４９】
さらに、前記給電コネクタ部の前記受電コネクタ部と対向する面上には、第一凸部または第一凹部が形成され、
前記受電コネクタ部の前記給電コネクタ部と対向する面上には、前記第一凸部または前記第一凹部と対向する箇所に第二凹部または第二凸部が形成され、
前記給電コネクタ部の前記給電端子と前記受電コネクタ部の前記受電端子とが接触すると、前記第一凸部または前記第一凹部が前記第二凹部または前記第二凸部に挿入させるので、受電コネクタ部と給電コネクタ部との設置が行い易くなるとともにずれを防止できるため、給電端子と受電端子の電気接続をさらに良好に保持できる。
【００５０】
さらに、前記給電コネクタ部の前記受電コネクタ部と対向する面上には、第一磁石部または第一磁性体部が形成され、
前記受電コネクタ部の前記給電コネクタ部と対向する面上には、前記第一磁石部または前記第一磁性体部と対向する箇所に第二磁石部または第二磁性体部が形成され、
前記給電コネクタ部の前記給電端子と前記受電コネクタ部の前記受電端子とが接触すると、前記第一磁石部または前記第一磁性体部と前記第二磁性体部または前記第二磁石部とが磁力により吸着するので、受電コネクタ部と給電コネクタ部との設置が行い安くなるとともにずれを防止できるため、給電端子と受電端子の電気接続をさらに良好に保持できる。
【００５１】
さらに、前記給電端子は、前記給電コネクタ部の前記受電コネクタ部と対向する面に形成された開口部と、前記開口部内に設置された導電性の弾性部を有し、
前記受電端子は、前記受電コネクタ部の前記給電コネクタ部と対向する面には前記開口部と対向する箇所に第三凸部が形成され、
前記給電コネクタ部の前記給電端子と前記受電コネクタ部の前記受電端子とが接触すると、前記弾性部を前記第三凸部が押圧して接触させる、または、前記給電端子は、前記給電コネクタ部の前記受電コネクタ部と対向する面に第三凸部が形成され、
前記受電端子は、前記受電コネクタ部の前記給電コネクタ部と対向する面には前記第三凸部と対向する箇所に形成された開口部と、前記開口部内に設置された導電性の弾性部を有し、
前記給電コネクタ部の前記給電端子と前記受電コネクタ部の前記受電端子とが接触すると、前記第三凸部が前記弾性部を押圧して接触させるので、弾性部を第三凸部が押圧して接触させるため、給電端子と受電端子の電気接続をさらに良好に保持できる。
【００５２】
本開示は、例示的な実施の形態が記載されているが、実施の形態に記載された様々な特徴、態様、および機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合が含まれるものとする。
【符号の説明】
【００５３】
１  受け具、１０  受け開口部、１０１  受け開口部、１１  凹部、１２  電気機器、１００  コネクタ付支持装置、１０１  開口部、１０２  開口部、１０３  開口部、
２  給電コネクタ部、２１  給電端子、２２  第一凸部、２３  第一磁性体部、
２４  開口部、２５  弾性部、３  受電コネクタ部、３１  受電端子、３２  第二凹部、３３  第二磁石部、３４  第三凸部、４  支持具、４０  突出部、４０１  水平部、
４０２  連結部、４１  電源部、５  固定具、５０  固定開口部、５１  配線部、
６  床、６０  支柱、６１  外部電源、６２  壁面、Ｘ  水平方向、Ｘ  突出方向。
【図１】
2020120901.tif 000003
【図２】
2020120901.tif 000004
【図３】
2020120901.tif 000005
【図４】
2020120901.tif 000006
【図５】
2020120901.tif 000007
【図６】
2020120901.tif 000008
【図７】
2020120901.tif 000009
【図８】
2020120901.tif 000010
【図９】
2020120901.tif 000011
【図１０】
2020120901.tif 000012
【図１１】
2020120901.tif 000013
【図１２】
2020120901.tif 000014
【図１３】
2020120901.tif 000015
【図１４】
2020120901.tif 000016
【図１５】
2020120901.tif 000017
【図１６】
2020120901.tif 000018
【図１７】
2020120901.tif 000019
【図１８】
2020120901.tif 000020
【図１９】
2020120901.tif 000021
【図２０】
2020120901.tif 000022
【図２１】
2020120901.tif 000023
【図２２】
2020120901.tif 000024
【図２３】
2020120901.tif 000025
【図２４】
2020120901.tif 000026
【図２５】
2020120901.tif 000027
【図２６】
2020120901.tif 000028